【手続補正書】
【提出日】平成21年8月26日(2009.8.26)
【手続補正１】
【補正対象書類名】明細書
【補正対象項目名】全文
【補正方法】変更
【補正の内容】
【発明の詳細な説明】
【発明の名称】ロック機構付き筆記用具
【技術分野】
【０００１】
この発明は、筆記用具に鍵及び連結体を設けてなるロック機構付き筆記用具に関するものである。
【背景技術】
【０００２】
近年、世の中全体が物騒になってきており、盗難等の犯罪が激増の一途をたどっている。例えば、電車内で居眠りをしている場合や、一寸目を離した隙に、鞄や手荷物等が知らないうちに持ち去られるようなことがある。
【０００３】
このような盗難事件から身を守る一手段としては、例えば、自分の腕や固定物に、荷物を固定するための施錠装置を持ち歩くということが考えられる。
【０００４】
しかしながら、上記の如き施錠装置を持ち歩くことは見た目が悪いのであまり好まれることとは思えないし、また上記施錠装置をうっかり自宅に忘れてしまったりすることもある。
【０００５】
そこで、近年の物騒な時代において、人々の間では、遭難防止が確実にでき、持ち運びに抵抗感が少なく且つうっかり忘れてしまうようなことが少ない手段が開発されることを待ち望んでいる。  
【０００６】
なお、自転車等の盗難防止装置のようなもの（例えば特許文献１）ものは数多く存在しているが、上記のような種類の盗難防止具は見当たらない。
【特許文献１】特開２０００−６８６４号公報
【発明の開示】
【発明が解決しようとする課題】
【０００７】
そこで、この発明では、盗難防止が確実にでき、持ち運びに抵抗感が少なく且つ持ち運びを忘れにくいロック機構付き筆記用具を提供することを課題とする。
【課題を解決するための手段】
【０００８】
（請求項１記載の発明）
この発明のロック機構付き筆記用具は、筆記具本体と、前記筆記具本体の上端側に取り付けられ且つ閂を施錠・開錠状態にできる鍵部と、前記筆記具本体の下端側に対して着脱自在であるキャップと、前記キャップ内に収納された変形可能な長尺の連結体とを備えている。
【０００９】
（請求項２記載の発明）
この発明のロック機構付き筆記用具は、筆記具本体と、前記筆記具本体の上端側に取り付けられ且つ閂を施錠・開錠状態にできる鍵部と、前記筆記具本体に対して着脱可能である弾性変形可能な螺旋状の連結体とを備えている。
【００１０】
（請求項３記載の発明）
この発明のロック機構付き筆記用具は、筆記具本体と、前記筆記用具の上端側に設けられたキャップと、前記キャップの上端に設けられ且つ閂を施錠・開錠状態にできる鍵部と、前記キャップ内に収容された変形可能な長尺の連結体とを備えている。
【００１１】
（請求項４記載の発明）
この発明のロック機構付き筆記用具は、上記請求項１乃至３のいずれかに記載の発明に関し、連結体の両端部には、小リングをそれぞれ形成してある。
【００１２】
（請求項５記載の発明）
この発明のロック機構付き筆記用具は、上記請求項１乃至３のいずれかに記載の発明に関し、衣服に係止するためのクリップを有した筆記具であって、クリップ状に形成された鍵部が筆記具本体の上端又は/及び外周面に取り付けてある。
【００１３】
（請求項６記載の発明）
この発明のロック機構付き筆記用具は、上記請求項２記載の発明に関し、弾性変形可能な螺旋状の連結体は、筆記具本体の下部側全体を包囲している。
【００１４】
（請求項７記載の発明）
この発明のロック機構付き筆記用具は、上記請求項１又は３に記載の発明に関し、変形可能な長尺の連結体は、コイルワイヤー、ストレートワイヤー、繊維状ロープである。
【００１５】
（請求項８記載の発明）
この発明のロック機構付き筆記用具は、上記請求項１乃至７のいずれかに記載の発明に関し、鍵は、複数のダイヤル、複数の押しボタンを所定に合わせて閂を施錠・開錠状態にできるものであるか、専用キーにより閂を施錠・開錠状態にできるものである。
【発明の効果】
【００１６】
この発明のロック機構付き筆記用具によると、盗難防止が確実にでき、持ち運びに抵抗感が少なく且つ持ち運びを忘れにくいこととなる。
【発明を実施するための最良の形態】
【００１７】
以下にこの発明におけるロック機構付き筆記用具を実施するための最良の形態として実施例について詳しく説明する。
【実施例１】
【００１８】
図１はこの発明の実施例１のロック機構付き筆記用具Ｈの斜視図で、図２はロック機構付き筆記用具Ｈからキャップ３及びロック用ワイヤー４（この発明の変形可能な長尺の連結体に対応する、以下同じ）を取り出した状態を示す斜視図、図３は鍵部２の複数のダイヤル２１、２２，２３の数字を所定に合わせることにより閂２０を開錠状態にしてロック用ワイヤー４を挿入した状態を示す斜視図を示している。
【００１９】
（ロック機構付き筆記用具Ｈの構成について）
このロック機構付き筆記用具Ｈは、図１〜図３に示すように、筆記具本体１と、複数のダイヤル２１，２２，２３の数字（絵文字でもよい）を合わせることにより閂２０を施錠状態から開錠状態にできるクリップ形状の鍵部２と、筆記具本体１の下端側に着脱自在に取り付けられるキャップ３と、筆記具本体１の下端部とキャップ３との間に収納される螺旋状のロック用ワイヤー４とを備え、前記鍵部２は筆記具本体１の上端又は／及び外周面にクリップ２５として取り付けられている。
【００２０】
なお、上記筆記具本体１、鍵部２、キャップ３、ロック用ワイヤー４は、硬質樹脂や金属材料により構成されている。
【００２１】
（ロック機構付き筆記用具Ｈの具体的構成について）
「筆記具本体１」
筆記具本体１は、図１〜図３に示すように、硬質である上部１１と、前記上部１１と同じ直径であり且つ下端に雄ネジ部１０を有する中部１２と、前記中部１２に延設され且つ下方に向かって途中から徐々に縮径せしめられている下部１３とから構成されており、前記下部１３の最下部から筆記するための芯１４を突出させている。
【００２２】
「鍵部２」
鍵部２は、図１〜図３に示すように、閂２０が設けられている横部材２aと、三つダイヤル２１、２２、２３が縦に配列されている縦部材２ｂとから構成されており、全体として逆Ｌ字状に形成されている。ここで、三つのダイヤル２１、２２、２３は指によって回動操作可能に外周部が突出しているものとしてあり、三つのダイヤル２１、２２、２３が所定の数字になったときには閂２０が施錠状態から開錠状態となるようにしてある。
【００２３】
なお、この鍵部２は、図１〜図３に示す如く、筆記具本体１の上部１１の上端に横部材２aが一体化されるＬ字状の形態を採っている。また、上記縦部材２ｂにおける筆記具本体１と対面する部分には突起２４を設けてあり、これにより不用意に衣服等のポケットから外れないように通常の筆記具と同等の「クリップ形状」を有するものとしてある。
【００２４】
「キャップ３」
キャップ３は、図２に示すように、有底円筒形状（無底でもよい）に形成してあり、上端開放部の内周面には上記雄ネジ部１０が螺入される雌ネジ部３０を設けてある。
【００２５】
「ロック用ワイヤー４」
ロック用ワイヤー４は、図１や図２に示すように、螺旋状に形成されたものであり、筆記具本体１の下端部とキャップ３との間の空域に収納されている。ここで、このロック用ワイヤー４の両端部には、それぞれ小リング４０，４１が形成されており、全体として大きなループ４２をつくることができるようになっている。
【００２６】
（ロック機構付き筆記用具Ｈを使用する方法）
（１）鍵部２に設けられた三つダイヤル２１、２２、２３を所定に合わせて、閂２０を図１の施錠状態から図３の開錠状態にする。
（２）雄ネジ部１０と雌ネジ部３０との螺入を解き、筆記具本体１からキャップ３を取り外してロック用ワイヤー４を取り出す。
（３）前記ロック用ワイヤー４の一端側に形成された小リング４０を閂２０に外挿させ、例えば鞄の取っ手９０にロック用ワイヤー４を挿通させると共に、固定物９を巻き込む。
（４）続いて、他端側の小リング４１を閂２０に外挿させ、前記閂２０の端部を孔部２５に押し込み、ダイヤル２１、２２、２３を適当に回転して施錠状態にする。
（５）上記（４）の状態ではロック用ワイヤー４と閂２０により大きなループ４２が形成され、固定部９を介して前記ループ４２から鞄Ｋの取っ手９０が抜けないようになっている。
（６）したがって、たとえ車中等で居眠りをしていたとしても盗難に合うような事態は確実に回避できることなる。
（７）上記鞄Ｋの取っ手９０をロック用ワイヤー４から取り外すときは、再び三つダイヤル２１、２２、２３を所定に合わせて、閂２０を図１の状態から図３の状態にすればよい。
【００２７】
（ロック機構付き筆記用具Ｈの優れた効果）
このロック機構付き筆記用具Ｈは、常時所有している筆記用具と同等の取り扱いとなるので、持ち運びを忘れにくい。例えば、大人の場合はクリップ形状に形成された鍵２を衣服のポケットに差し込んで携帯し、子供の場合（鍵がクリップ形状に形成されていない場合）は、筆箱等に入れて携帯するようにしているから、持ち運びを忘れにくいのである。
【００２８】
このロック機構付き筆記用具Ｈは、通常の筆記用具と同様にポケットに差し込む態様、又は筆箱に入れる態様で持ち運びでき、所有に際して違和感がほとんどない。
【００２９】
さらに、上記した如く、たとえ車中等で居眠りをしていたとしても盗難に合うような事態は確実に回避できる。
【００３０】
つまり、このロック機構付き筆記用具によると、盗難防止が確実にでき、持ち運びに抵抗感が少なく且つ持ち運びを忘れにくいこととなる。
【００３１】
（このロック機構付き筆記用具Ｈと相違する他の構成について）
（１）上記実施例１では、キャップ３を必須の構成としているが、以下のような構成とすることができる。すなわち、上記実施例１の雄ネジ部１０に、弾性変形可能な螺旋状の連結体（引っ張りコイルバネ形状のもの）を螺入可能とすべく、雄ネジ部１０の螺子と連結体の螺旋ピッチを略一致させ、連結体をキャップ３と兼用できる。前記弾性変形可能な螺旋状の連結体は、筆記具本体の下部側全体を包囲していることが必要である。
【００３２】
（２）また、上記実施１に変えて以下の構成を採用することもできる。
すなわち、図４に示すように、筆記具本体１と、前記筆記用具１の上端側に着脱可能に設けられたキャップ３と、前記キャップ３の上端に固定され且つ閂２０を施錠・開錠状態にできる鍵部２と、前記キャップ３内に収容された変形可能な長尺のロック用ワイヤー４（連結体）とを備えているものとしてもよい。場合によってはキャップ３に対して鍵２が着脱できる構成でもよい。
【００３３】
（３）上記実施例１における、変形可能な長尺の連結体は、コイルワイヤー、ストレートワイヤー、繊維状ロープであるものとすることができる。
【００３４】
（４）鍵は、複数のダイヤル、複数の押しボタンを所定に合わせて閂を施錠・開錠状態にできるものであるか、専用キーにより閂を施錠・開錠状態にできるものであるものが採用できる。専用キーの場合は、非使用状態にあるときは、
【００３５】
（５）筆記具本体は、シャープペンシル、ボールペン又は万年筆等が対象になる。
【図面の簡単な説明】
【００３６】
【図１】この発明の実施例１のロック機構付き筆記用具の外観斜視図。
【図２】前記ロック機構付き筆記用具から連結体及びキャップを取り外した上体の示す外観斜視図。
【図３】前記ロック機構付き筆記用具における、鍵部の三個のダイヤルを所定に合わせることにより閂を開錠状態にしてロック用ワイヤーを挿入した状態を示す斜視図。
【図４】この発明の他の実施例のロック機構付き筆記用具の外観斜視図。
【符号の説明】
【００３７】
Ｈ          ロック機構付き筆記用具
Ｋ          鞄
１          筆記具本体
１０        雄ネジ部
１１        上部
１２        中部
１３        下部
１４        芯
２          鍵部  
２a         横部材
２ｂ        横部材
２０        閂
２１、２２、２３  ダイヤル  
２４        突起
２５        孔部  
３          キャップ
３０        雌ネジ部
４          ロック用ワイヤー（連結体）
４０        小リング
４１        小リング
４２        ループ
９          固定部
９０        取っ手